(57)【要約】【目的】本発明は施工が容易でコストが安価な、自然らしさや景観を損なうことの少ない、山肌や傾斜地、法面等の表層土砂の流出を緩和する土留め工法を提供すると共に、山で多量に放置され治山治水の障害となっている間伐材を有効利用して、山で産出する間伐材を山に戻すことを目的とする。【構成】１２０度Ｙ形金具４、１２０度Ｌ形金具５と棒状間伐材１を使用して、金具４、５と間伐材１を連結するボルト穴３、３ａ、３ｂをそれぞれ一カ所にすることにより、金具４、５と間伐材１の連結ボルト８を支点として三方向Ａ−Ａ、Ｂ−Ｂ、Ｃ−Ｃに各支点で自由に動くことの出来る六角亀甲模様の木製ネット図１を制作し、山肌や傾斜地、法面等の凹凸になじませて設置して、木製ネット編み目９内の限られた面積の表層土砂の流出を、それぞれ木製ネットの厚みで受け止め、多数の編み目９で分散して緩和する。【選択図】  図１
2004162491.tif 000002
【特許請求の範囲】
【請求項１】
長手方向と厚み方向と巾方向に所定の長さを有する長尺状の棒状間伐材の両端に、当該棒状間伐材の長手方向に平行で、厚み方向とも平行な結合溝を巾方向の中心に一つずつ形成するとともに、厚み方向の中心で端部より所定の寸法位置に結合溝と垂直に交わる連結ボルト用通し穴を一つずつ形成する。
他方、三本の上述した棒状間伐材を連結する金具は、棒状間伐材の厚み又は巾寸法とつり合いのとれた巾と、棒状間伐材に形成された結合溝巾の約二分の一の厚みで所定の長さを有するＹ形金具用帯状金属部材の両端に、当該帯状金属部材の巾方向の中心で端部より所定の寸法位置に連結ボルト用の穴を一つずつ形成するとともに、長さ方向の中心部で中心より両端方向に所定の寸法を振り分けて、長手方向に対して直角に３０度ずつ２カ所で合わせて６０度折り曲げ、当該帯状金属部材の両端部材間の角度を１２０度になるように加工する。この加工した三個の金具を２４０度側が互いに接するように重ね合わせたとき、１２０度Ｙ形の中心部にネット固定用の三角形の取付け穴が出現し、１２０度Ｙ形の先端部がそれぞれ結合凸部となり三本の棒状間伐材を互いに１２０度の角度で連結すると共にネットの固定も容易に可能な１２０度Ｙ形金具を形成する。
上述のように加工形成された棒状間伐材と１２０度Ｙ型金具を、１２０度Ｙ形金具を中心にして三箇所の結合凸部に、棒状間伐材の一方の結合溝を三本それぞれ挿入し連結ボルトで連結する。もう一方の結合溝にも１２０度Ｙ形金具をそれぞれ挿入連結し、棒状間伐材を連結して行く。
これらの作業を繰り返して制作された、連結用ボルト穴を一カ所にすることにより、連結ボルトを支点として三方向に各支点で自由に動き、ネットを設置する山肌や傾斜地、法面等の凹凸になじみやすく、固定も容易で確実に出来ることを特徴とする、六角亀甲模様の金具と間伐材を使用した木製ネット。
【請求項２】
長手方向と厚み方向と巾方向に所定の長さを有する長尺状の棒状間伐材の両端に、当該棒状間伐材の厚み方向の中心で端部より所定の寸法位置に，巾方向に平行な連結ボルト用通し穴を一つずつ形成する。
他方、三本の上述した棒状間伐材を連結する金具は、棒状間伐材の厚み又は巾寸法とつり合いのとれた長さと巾と厚みを有するＬ形金具用帯状金属部材の両端に、当該帯状金属部材の巾方向の中心で端部より所定の寸法位置に連結ボルト用の穴を一つずつ形成するとともに、長さ方向の中心部で長手方向に対して直角に６０度折り曲げて、当該帯状金属部材の両端部材間の角度を１２０度になるように加工した、三本の棒状間伐材を互いに１２０度の角度で連結する１２０度Ｌ形金具を形成する。
上述のように加工形成された三本の棒状間伐材を互いに１２０度の角度で連結するように一方の端の角と角を突き当て、三個の１２０度Ｌ形金具を互いに隣接する棒状間伐材の連結ボルト用通し穴の両側にあてがい連結ボルトで連結する。もう一方の端の連結ボルト用通し穴にも同様に三個の１２０度Ｌ形金具で棒状間伐材をそれぞれ連結する。
これらの作業を繰り返して制作された、連結用ボルト穴を一カ所にすることにより、連結ボルトを支点として三方向に各支点で自由に動き、ネットを設置する山肌や傾斜地、法面等の凹凸になじみやすいことを特徴とする、六角亀甲模様の金具と間伐材を使用した木製ネット。
【発明の詳細な説明】
【０００１】
【発明の属する技術分野】
本発明は、山肌や傾斜地、法面等の表層土砂の流出を緩和すると共に、治山治水の障害となっている間伐材を有効利用するための土留めネットに関する。
【０００２】
【発明が解決しようとする課題】
従来、表層土砂の流出を緩和する方法としては、山肌や傾斜地、法面等をコンクリート又は間伐材のブロックを階段状に施工した方法や、コンクリート製の細長いブロックを格子状に並べ固定した方法など、他にも数種類の施工例があるが、いずれも一長一短である。たとえば間伐材ブロックを階段状に施工した方法では、山肌や傾斜地、法面等を階段状に加工整地する必要があり、施工コスト面と階段状にしてしまった山肌や傾斜地の自然らしさや景観が損なわれると云う問題点があり、コンクリートを使用する方法は、施工コストはむろんのこと、山肌や傾斜地に草木が根付き表層土砂流出の心配が無くなってもコンクリートのブロックは長い年月そのままそこに残ってしまうと云う問題点も有している。
またそれに加えて、昔から建築足場や電信柱に使用されて、なんとか需給バランスの取れていた間伐材は、他の素材に変わってしまい、山では多量の間伐材が放置され、治山治水の障害となっていると云う別の問題点もあります。
【０００３】
【課題を解決するための手段】
上記の目的を達成するための請求項１にかかる発明を図面について説明すれば、長手方向と厚み方向と巾方向に所定の長さを有する長尺状の棒状間伐材１の両端に、当該棒状間伐材１の長手方向に平行で、厚み方向とも平行な結合溝２を巾方向の中心に一つずつ形成するとともに、厚み方向の中心で端部より所定の寸法位置に結合溝２と垂直に交わる連結ボルト用通し穴３を一つずつ形成する。
他方、三本の上述した棒状間伐材１を連結する金具は、棒状間伐材１の厚み又は巾寸法とつり合いのとれた巾と、棒状間伐材１に形成された結合溝２巾の約二分の一の厚みで所定の長さを有するＹ形金具用帯状金属部材４ａの両端に、当該帯状金属部材４ａの巾方向の中心で端部より所定の寸法位置に連結ボルト用の穴３ａを一つずつ形成するとともに、長さ方向の中心部で中心より両端方向に所定の寸法を振り分け、長手方向に対して直角に３０度ずつ２カ所で合わせて６０度折り曲げて、当該帯状金属部材４ａの両端部材間の角度を１２０度になるように加工する。この加工した三個の金具を２４０度側が互いに接するように重ね合わせたとき、１２０度Ｙ形の中心部にネット固定用の三角形の取付け穴６が出現し、１２０度Ｙ形の先端部がそれぞれ結合凸部７となり三本の棒状間伐材１を互いに１２０度の角度で連結すると共にネットの固定も容易に可能な１２０度Ｙ形金具４を形成する。（図５参考図面参照）
上述のように加工形成された棒状間伐材１と１２０度Ｙ型金具４を、１２０度Ｙ形金具４を中心にして三箇所の結合凸部７に、棒状間伐材１の一方の結合溝２を三本それぞれ挿入し連結ボルト８で連結する。もう一方の結合溝２にも１２０度Ｙ形金具４をそれぞれ挿入連結し棒状間伐材１を連結して行く。
これらの作業を繰り返して制作された、連結用ボルト穴３、３ａ、３ｂを一カ所にすることにより、連結ボルト８を支点として三方向Ａ−Ａ、Ｂ−Ｂ、Ｃ−Ｃに各支点で自由に動き、ネットを設置する山肌や傾斜地、法面の凹凸になじみやすく固定も容易で確実に出来ることを特徴とする、六角亀甲模様の金具と間伐材を使用した木製ネット図１を形成する。
また、請求項２にかかる発明は、長手方向と厚み方向と巾方向に所定の長さを有する長尺状の棒状間伐材１の両端に、当該棒状間伐材１の厚み方向の中心で端部より所定の寸法位置に，巾方向に平行な連結ボルト用通し穴３を一つずつ形成する。
他方、三本の上述した棒状間伐材１を連結する金具は、棒状間伐材１の厚み又は巾寸法とつり合いのとれた長さと巾と厚みを有するＬ形金具用帯状金属部材５ｂの両端に、当該帯状金属部材５ｂの巾方向の中心で端部より所定の寸法位置に連結ボルト用の穴３ｂを一つずつ形成するとともに、長さ方向の中心部で長手方向に対して直角に６０度折り曲げ、当該帯状金属部材５ｂの両端部材間の角度を１２０度になるように加工した、三本の棒状間伐材１を互いに１２０度の角度で連結する１２０度Ｌ形金具５を形成する。（図５参考図面参照）
上述のように加工形成された三本の棒状間伐材１を互いに１２０度の角度で連結するように一方の端の角と角を突き当て、三個の１２０度Ｌ形金具５を互いに隣接する棒状間伐材１の連結ボルト用通し穴３の両側にあてがい連結ボルト８で連結する。もう一方の端の連結ボルト用通し穴３にも同様に三個の１２０度Ｌ形金具５で棒状間伐材１をそれぞれ連結する。
これらの作業を繰り返して制作された、連結用ボルト穴３、３ａ、３ｂを一カ所にすることにより、連結ボルト８を支点として三方向Ａ−Ａ、Ｂ−Ｂ、Ｃ−Ｃに各支点で自由に動き、ネットを設置する山肌や傾斜地、法面の凹凸になじみやすいことを特徴とする、六角亀甲模様の金具と間伐材を使用した木製ネット図１を形成する。
上記のように構成した請求項１図２、請求項２図３にかかる発明の施工に際しては、施工場所の地盤や傾斜角度の状態に合わせて、請求項１図２の方法、請求項２図３の方法をそれぞれ単独で施工するか、請求項１図２と請求項２図３の方法を組み合わせて施工するなどの他、全体は請求項２図３の方法で施工して、必要に応じて要所要所を請求項１図２の方法、または、請求項１と請求項２の両方を使用した方法図４を組み合わせた方法で施工場所に固定することが出来る。
このように、間伐材と金具の連結ボルト８を支点として三方向Ａ−Ａ、Ｂ−Ｂ、Ｃ−Ｃに各支点で自由に動くことの出来る「金具と間伐材を使用した木製ネット」を製作し、山肌や傾斜地の凹凸になじませて設置し、木製ネット編み目９内の限られた面積の表層土砂の流出をそれぞれネットの厚み（平均して９ｃｍ〜１２ｃｍ、現場の状況に合わせてこれを二段に重ねることも可能）で受け止め、多数の編み目９で分散して緩和する、六角亀甲模様の土留め木製ネット図１を提供すると共に、山から産出する間伐材を有効利用して山に戻すことが出来る。
【０００４】
【発明の効果】
本発明は、棒状間伐材と金具を連結するボルト穴を一カ所にすることにより、棒状間伐材と金具の連結ボルトを支点として三方向に各支点で自由に動き、山肌や傾斜地の凹凸になじませての設置を可能とした。これにより施工が容易でコストが安価な、山肌や傾斜地の自然らしさや景観を損なうことの少ない、六角亀甲模様の土留め木製ネットを提供することが出来、合わせて、山で多量に放置され治山治水の障害となっている間伐材を、有効利用して山に戻すことが可能となる。
【図面の簡単な説明】
【図１】六角亀甲模様の金具と間伐材を使用した木製ネットの正面図と部分詳細図である。
【図２】１２０度Ｙ形金具と三本の間伐材の連結部分を表した正面図である。
【図３】１２０度Ｌ形金具と三本の間伐材の連結部分を表した正面図である。
【図４】１２０度Ｙ形金具と１２０度Ｌ形金具の両方を使用して、三本の間伐材を連結した部分を表した正面図である。
【図５】間伐材と１２０度Ｙ形金具、１２０度Ｌ形金具の斜視参考図である。
【符号の説明】
１    棒状間伐材。
２    結合溝。
３    連結ボルト用の通し穴。
３ａ  １２０度Ｙ形金具の連結ボルト用の穴。
３ｂ  １２０度Ｌ形金具の連結ボルト用の穴。
４    １２０度Ｙ形金具。
４ａ  加工前のＹ形金具用帯状金属部材。
５    １２０度Ｌ形金具。
５ｂ  加工前のＬ形金具用帯状金属部材。
６    ネット固定用取付け穴。
７    結合凸部。
８    連結ボルト。
９    木製ネット編み目。
Ａ−Ａ  連結ボルトを支点として自由に動くＡ方向。
Ｂ−Ｂ  連結ボルトを支点として自由に動くＢ方向。
Ｃ−Ｃ  連結ボルトを支点として自由に動くＣ方向。
【図１】
2004162491.tif 000003
【図２】
2004162491.tif 000004
【図３】
2004162491.tif 000005
【図４】
2004162491.tif 000006
【図５】
2004162491.tif 000007